(57)【要約】      （修正有）【課題】所定の特定画面を、使用状況によらず、スイッチの操作のみで、投影することが出来るプロジェクターを提供する。【解決手段】映像を投影するプロジェクターは、プロジェクターの電源のオンオフ操作が行われる第一のスイッチと、前記投影されている映像を所定の特定画面に切り替える第二のスイッチと、を備える。前記第二のスイッチが操作されることにより、前記プロジェクターの電源がオンの状態になっている場合には、前記投影されている映像を前記特定画面の表示に切り替え、前記プロジェクターの電源がオフの状態になっている場合には、前記電源をオンにするとともに、前記投影されている映像を前記特定画面の表示に切り替える。【選択図】図３
2013137352.tif 000002
【特許請求の範囲】
【請求項１】
映像を投影するプロジェクターであって、
前記プロジェクターの電源のオンオフ操作が行われる第一のスイッチと、
前記投影されている映像を所定の特定画面の表示に切り替える第二のスイッチと、
を備えることを特徴とするプロジェクター。
【請求項２】
請求項１に記載のプロジェクターにおいて、
前記第二のスイッチが操作されることにより、
前記プロジェクターの電源がオンの状態になっている場合には、前記投影されている映像を前記特定画面の表示に切り替え、
前記プロジェクターの電源がオフの状態になっている場合には、前記電源をオンにするとともに、前記投影されている映像を前記特定画面の表示に切り替える、ことを特徴とするプロジェクター。
【請求項３】
請求項１または２に記載のプロジェクターにおいて、
前記特定画面の表示中は、前記第二のスイッチの操作により、前記特定画面の表示を消すことができることを特徴とするプロジェクター。
【請求項４】
請求項１〜３のいずれか一項に記載のプロジェクターにおいて、
前記特定画面が表示される際には、通常の表示設定とは異なる表示設定に切り替わることを特徴とするプロジェクター。
【請求項５】
請求項１〜４のいずれか一項に記載のプロジェクターにおいて、
前記特定画面の表示中に、前記第二のスイッチが操作されることによって、前記投影されている特定画面が所定の他の特定画面に切り替わることを特徴とするプロジェクター。
【発明の詳細な説明】
【技術分野】
【０００１】
本発明は、プロジェクター、およびその表示切替方法に関する。
【背景技術】
【０００２】
近年、携帯用プロジェクターの開発が進み、高輝度化がなされており、緊急時には照明として利用可能である。プロジェクターでは、全白画面などの特定の画面を表示させる場合、表示モードを選択する必要がある。
また、電池など、電気容量が限られた電源を使用する場合の多くは、電気の浪費を防ぐため、入力信号がない場合などは、自動で電源が切れたりするように設定がなされている（特許文献１参照）。
【先行技術文献】
【特許文献】
【０００３】
【特許文献１】特開平０６−１１８３７２号公報
【発明の概要】
【発明が解決しようとする課題】
【０００４】
しかしながら、プロジェクターにおいては、投射画面での表示を用いて表示モードを選択することが一般的である。したがって、たとえば白い壁のような平面に投射させないと、表示モード選択のための明瞭な映像が映らず、表示モードの選択ができなくなるという課題がある。
また、電池などの電気容量に制限がある電源を使用する場合の多くは、電気の浪費を防ぐため、入力信号がない場合などは、自動で電源が切れたりするため、たとえば全白画面などの特定の画面表示を続けるには、外部入力を必要としたり、継続的に操作を行うなどの必要があった。そのため、災害時などの緊急時には、照明として利用しづらいことが課題であった。
【課題を解決するための手段】
【０００５】
本発明は、上述の課題の少なくとも一部を解決するためになされたものであり、以下の形態または適用例として実現することが可能である。
【０００６】
［適用例１］本適用例に係るプロジェクターは、映像を投影するプロジェクターであって、前記プロジェクターの電源のオンオフ操作が行われる第一のスイッチと、記投影されている映像を所定の特定画面の表示に切り替える第二のスイッチと、を備えることを特徴とする。
【０００７】
本適用例によれば、第二のスイッチを操作することで、投影されている映像を切り替えて所定の特定画面を表示することができる。たとえば所定の特定画面を全白画面表示にすれば、照明として利用でき、これによって災害時や停電時などの緊急時に非常用の照明として、容易に使用することができる。特定画面を表示させる第二のスイッチが独立して設けられていることにより、緊急時の使用の際に、投影されている映像を容易に切り替えることができる。
したがって、緊急時に非常用の照明などとして、容易に使用できるプロジェクターを提供することができる。
【０００８】
［適用例２］上記適用例に記載のプロジェクターは、前記第二のスイッチが操作されることにより、前記プロジェクターの電源がオンの状態になっている場合には、前記投影されている映像を前記特定画面の表示に切り替え、前記プロジェクターの電源がオフの状態になっている場合には、前記電源をオンにするとともに、前記投影されている映像を前記特定画面の表示に切り替える、ことを特徴とする。
【０００９】
本適用例によれば、プロジェクターの起動状態や映像の表示設定によらず、第二のスイッチを操作することで、特定画面を表示することができる。また、特定画面の表示が、第二のスイッチを一度操作するだけで表示できるため、容易かつ直ちに表示することができ、これによって緊急時にも、複数の操作をする煩わしさがなく、直ちに特定画面を表示することができる。
したがって、より容易にかつ迅速に非常用の照明などとして利用することができる。
【００１０】
［適用例３］上記適用例に記載のプロジェクターは、前記特定画面の表示中は、前記第二のスイッチの操作により、前記特定画面の表示を消すことができることを特徴とする。
【００１１】
本適用例によれば、第二のスイッチ以外の場所に触れることでの、映像の変化を防ぐことができる。例えば、第二のスイッチにより、全白画面を投影し、緊急時などに懐中電灯の代わりとしていようしていた場合、故意ではなく他のスイッチに触れてしまい、映像が切り替わってしまうことは不便である。本適用例では、そういった事態を防ぐことができ、利便性を向上することができる。
【００１２】
［適用例４］上記適用例に記載のプロジェクターは、前記特定画面が表示される際には、通常の表示設定とは異なる表示設定に切り替わることを特徴とする。
【００１３】
本適用例によれば、特定画面の表示がされるときには、通常使用時とは異なる表示設定が、表示設定切り替えなどの操作無しで得られ、高い利便性が得られる。
例えば、特定画面として、非常時の照明となる全白画面が表示設定され、また、通常時は、プロジェクターへの入力状況および操作状況により、自動的に電源オフ状態や、映像の暗転などが表示設定されていた場合、特定画面への切り替え後も、通常時の表示設定を引き継いでしまうと、途中で全白画面の表示が電源オフや暗転により映し出されなくなることは不便である。そのため、投影される映像の切り替えとともに、表示設定も切り替わることで、利便性を向上させている。
【００１４】
［適用例５］上記適用例に記載のプロジェクターは、前記特定画面の表示中に、前記第二のスイッチが操作されることによって、前記投影されている特定画面が所定の他の特定画面に切り替わることを特徴とする。
【００１５】
本適用例によれば、使用場面を想定した、複数の特定画面を容易に切り替えて、表示することができる。例えば、前述の照明の代用品としての使用を想定した全白画面の他に、非常灯としての使用を想定した全赤画面、時刻を表示する時計表示などを他の特定画面として準備しておくことで、利便性を向上させることができる。
【図面の簡単な説明】
【００１６】
【図１】実施形態１に係るプロジェクターの構成を示すプロジェクターの内部構成の模式図である。
【図２】実施形態１に係るプロジェクターの外観を示す模式図である。
【図３】実施形態１に係る表示切替スイッチ入力時の映像表示までのプロジェクターの内部処理のフローチャートである。
【発明を実施するための形態】
【００１７】
以下、本発明の実施形態について、図面を参照して説明する。なお、以下の各図においては、各層や各部材を認識可能な程度の大きさにするため、各層や各部材の尺度を実際とは異ならせしめている。
【００１８】
（実施形態１）
図１および図２は本発明の一実施形態に係るプロジェクターの模式図である。図３は、一実施形態に係るプロジェクターの所定の特定画面を表示する際の処理を説明するフローチャートである。
【００１９】
まず、図１および図２を用いてプロジェクター１００の構成について説明する。
プロジェクター１００は、電源１０１を有し、光源１０２で発光した光が、プロジェクター光学部１０３を通過した後、投射口１０５より投影される。また、表示切替スイッチ１０６（第二のスイッチ）、電源スイッチ１０７（第一のスイッチ）、操作部１０８から入力された信号（入力信号）に基づき、主制御部１０４により、電源１０１、光源１０２、および表示制御部１１０などが制御される。
【００２０】
図２では、プロジェクター１００は矩形で描画されているが、円筒形、円錐形、多角錐形などの形状でもよく、特に形状は限定されるものではない。
【００２１】
電源１０１は、プロジェクターを作動させるために、電気を供給するものである。例えば、交流電源、直流電源、もしくは電池やバッテリー、キャパシターのような蓄電装置である。これらいずれかの構造を複数同時有するものであってもよい。
【００２２】
主制御部１０４は、制御回路やメモリーなどからなり、プロジェクター１００の構成部品を制御する装置である。具体的には、主制御部１０４は、表示切替スイッチ１０６、電源スイッチ１０７、操作部１０８などからの入力信号に基づいて、電源１０１、光源１０２、表示制御部１１０などを制御するものである。
【００２３】
光源１０２は、電源１０１から供給される電気をもとに発光するものである。水銀ランプ、ＬＥＤ、レーザー光源など高い輝度が得られるものが望ましいが、特に光源の種類は限定しない。
【００２４】
外部入力端子１０９は、プロジェクター１００へ外部装置から映像データを入力するための端子である。ＨＤＭＩ、ＲＧＢ端子などのような端子でもよいし、記憶媒体を読み込むためのリーダー、データ信号を受信する受信機でも構わない。
【００２５】
表示制御部１１０は、主制御部１０４からの制御に基づいて、外部入力端子１０９から入力された映像データを補正したり、あらかじめ内部に記憶している映像データと切り替えたりして、表示用の映像データを作成し、プロジェクター光学部１０３に送る機能を有するものである。
【００２６】
プロジェクター光学部１０３は、光源１０２から射出された光より、表示制御部１１０から送られた表示用の映像データに基づいた映像光を形成する。プロジェクター光学部１０３には各種光学レンズ、液晶パネル、またはミラーデバイスからなる光変調装置などが含まれる。しかし、その機構、構成は列挙したものだけに限定するわけではない。
【００２７】
投射口１０５は、プロジェクター光学部１０３で形成された映像光が投射される部分である。投射口１０５にレンズなどの光学部品が備わっていてもかまわない。
【００２８】
表示切替スイッチ１０６は、表示の切り替えを行うスイッチである。表示切替スイッチ１０６を操作することにより、主制御部１０４が作用し、電源１０１、光源１０２、およびプロジェクター光学部１０３へ信号が伝わり、所定の特定画面を表示するために、各機構が制御される。すなわち、表示切替スイッチ１０６は、特定画面の表示をオンとするかオフとするかを切り替えるスイッチといえる。
【００２９】
特定画面の例としては、例えば、全白画面や、全赤画面などが考えられる。例えば、全白画面にすることにより、照明や懐中電灯の代わりに利用することが想定される。また、全赤画面では、非常時の表示灯（例えば、赤色の反射板などの代替）などへの利用が考えられる。また、所定の特定画面が写真やイラスト、動画、時計表示などであっても構わない。
【００３０】
表示切替スイッチ１０６の形状は特に制限は設けないが、暗闇などの環境において目視では表示切替スイッチ１０６が確認できない場合でも、触ることにより、認識できる形状が好ましい。例えば、トグルスイッチ、レバースイッチ、スライドスイッチ、ロッカースイッチ、プッシュスイッチ、ロータリースイッチ、プルチェーンスイッチ、キーボードスイッチ、などが挙げられるが、これに限定するわけではない。
また、表示切替スイッチ１０６が、蛍光塗料の塗布により発光したり、ＬＥＤなどにより点灯したり、暗所で表示切替スイッチ１０６の目視確認ができる工夫が施されていてもよい。
【００３１】
電源スイッチ１０７は、通常使用時のプロジェクター１００の電源１０１のＯＮ／ＯＦＦ（オン／オフ）状態を切り替えるものである。
【００３２】
操作部１０８は、プロジェクター１００の画像、設定、入力切替などを操作するためのパネルであり、操作に基づいた信号が主制御部１０４へ送られ、各部の制御が行われる。
このほかに、プロジェクター１００は図示しない冷却装置などを内蔵していてもよい。
【００３３】
プロジェクター１００の動作を説明する。
はじめに、プロジェクター１００の通常の画面表示の動作を説明する。電源スイッチ１０７がＯＮ状態となることで、主制御部１０４が動作し、電源１０１から電気が供給され、光源１０２が点灯する。さらに、外部入力端子１０９から入力され表示制御部１１０が作成した映像データに応じて、プロジェクター光学部１０３で形成された映像光が、投射口１０５から投影される。
プロジェクター１００は、通常の使用状況では、入力信号が一定時間無い場合は、節電や不要な光が投影されるのを防ぐため、電源１０１、光源１０２、表示制御部１１０などが制御され、電源１０１、もしくは光源１０２がＯＦＦ状態になったり、黒色画面などが投影されたりする。
【００３４】
次に、特定画面の表示について図３のフローに沿って説明する。
特定画面を表示するために、表示切替スイッチ１０６が操作される（すなわち特定画面の表示をオンとする設定に切り替わる）と、ステップＳ１へ進む。
【００３５】
ステップＳ１では、主制御部１０４はプロジェクター１００の電源のＯＮ／ＯＦＦ状態を判定する。
ステップＳ１において、プロジェクター１００の電源が入っていない、すなわちＯＦＦ状態と判定された場合（ステップＳ１：Ｎｏ）は、ステップＳ１１へ進み、主制御部１０４は電源スイッチ１０７がＯＮ状態となった時と同様に電源を入れる処理（ＯＮ）を行い、電源１０１から電気が各部に供給される。その後、ステップＳ２１へと進む。
または、ステップＳ１において、プロジェクター１００の電源が入っているすなわちＯＮ状態と判定された場合（ステップＳ１：Ｙｅｓ）は、ステップＳ２に進む。
【００３６】
次にステップＳ２では、主制御部１０４は光源のＯＮ／ＯＦＦ状態を判定する。
ステップＳ２において、光源１０２が点灯（ＯＮ）していないと判定された場合（ステップＳ２：Ｎｏ）は、ステップＳ２１へ進み、主制御部１０４は光源１０２を点灯させる。その後、ステップＳ３へと進む。
または、ステップＳ２において、光源１０２が点灯（ＯＮ）していると判定された場合（ステップＳ２：Ｙｅｓ）は、ステップＳ３へと進む。
【００３７】
次にステップＳ３において、主制御部１０４は特定画面が表示されるように表示制御部１１０を制御し、表示制御部１１０は特定画面（例えば全白の画面）用の映像データを表示用の映像データとして切り替える。
そして表示制御部１１０は表示用の映像データをプロジェクター光学部１０３に送り、プロジェクター光学部１０３で特定画面用の映像データに基づいて形成された映像光が投射口１０５から特定画面として表示され、表示映像が切り替えられる。その後、ステップＳ４へと進む。
【００３８】
上記の手順でプロジェクター１００が動作すると、使用状況に関わらず、表示切替スイッチ１０６のみを操作することで、特定画面を表示することができる。すなわち、通常の使用状況で外部入力端子１０９から入力された映像を投影している場合だけでなく、電源１０１がＯＦＦ状態になっている場合や、電源がＯＮ状態になっていても光源が消えている場合でも、簡易な手段で特定画面を表示することができる。
特定画面を表示することにより、プロジェクター１００を照明や懐中電灯の代わりに利用したり、非常時の表示灯として簡易な手段で利用したりすることができる。
【００３９】
続いて、特定画面が表示された後の動作について説明する。
ステップＳ４において、主制御部１０４は、プロジェクター１００の設定を、通常の表示設定とは異なる映像表示設定（表示設定）に自動的に切り替える。その後、ステップＳ５へと進む。
ステップＳ４により、通常時の表示設定で、例えば、外部入力がない、もしくは一定時間操作がない場合などに自動的に電源ＯＦＦ状態になるなどが設定されていても、特定画面が表示されている状態では、外部入力がない、もしくは一定時間操作がない場合においても、電源１０１もしくは光源１０２がＯＦＦ状態にならない映像表示設定に自動的に切り替わることで、特定画面を表示し続けることができる。
なお、映像表示設定の自動切替が必要ない場合は、ステップＳ４をフローから外すこともできる。
【００４０】
ステップＳ５において、主制御部１０４は、表示されている特定画面（例えば全白）をその他の映像（特定画面（例えば全赤））に変更するように表示切替スイッチ１０６が操作される（ステップＳ５：Ｙｅｓ）と、ステップＳ５１へ進む。ステップＳ５１において、主制御部１０４は、その他の操作に応じて、表示されている特定画面を他の映像（特定画面（例えば全赤））に変更するように表示制御部１１０を制御する。また、他の映像として外部入力端子１０９から入力された通常の映像に切り替えることもできる。その後、ステップＳ６へと進む。
ステップＳ５において、その他の映像の表示に変更する表示切替スイッチ１０６の操作がされなかった（ステップＳ５：Ｎｏ）場合、ステップＳ６へと進む。
【００４１】
ステップＳ６において、プロジェクター１００の電源を切る場合（ステップＳ６：Ｙｅｓ）は、表示切替スイッチ１０６の操作によって電源を切り特定画面の表示を終了する。
電源を切らない場合（ステップＳ６：Ｎｏ）は、ステップＳ５へと進む。
この場合の電源ＯＦＦは、電源スイッチ１０７では行われない。このようにすれば、表示切替スイッチ１０６以外の場所に触れることでの、映像の変化を防ぐことができる。
ただし、電源スイッチ１０７による電源ＯＦＦが可能であってもよい。
【００４２】
上記の手順でプロジェクター１００が動作することにより、投影される映像を、ある特定画面から他の特定画面に切り替えることができ、プロジェクター１００の用途を広げることが可能となる。
例えば、照明や非常時の表示だけでなく、時刻を表示することで、現在の時刻を確認することが出来る。例えば、全白画面を表示中に、時刻を表示することで、懐中電灯として使用しながら現在の時刻も確認することができ、災害時などに役立たせることができる。
【００４３】
以上述べたように、本実施形態に係るプロジェクター１００によれば、以下の効果を得ることができる。
プロジェクターの使用状況によらず、表示切替スイッチを入力することで、特定画面を容易に表示させることができる。これにより、災害時などの緊急時に、すばやく照明として利用することが可能となる。また、特定画面を表示させる際には表示設定が切り替わるため、複数の操作を行わなくても、ふさわしい表示設定とすることが出来る。
【符号の説明】
【００４４】
１００…プロジェクター、１０１…電源、１０２…光源、１０３…プロジェクター光学部、１０４…主制御部、１０５…投射口、１０６…表示切替スイッチ、１０７…電源スイッチ、１０８…操作部、１０９…外部入力端子、１１０…表示制御部。
【図１】
2013137352.tif 000003
【図２】
2013137352.tif 000004
【図３】
2013137352.tif 000005